(57)【要約】【課題】屋根を滑り落ちる雪塊の形状や量を均一化して、融雪性能を安定化させ、融雪エネルギーの削減を図る。【解決手段】屋根フィルム３４がフィルム留め金具４０により留められている連棟温室の融雪屋根構造において、屋根最上部と、屋根妻面端部と、滑り方向と平行な屋根垂木部分３０に伝熱性能が良い伝熱部材６０を配設する。前記伝熱部材６０は、フィルム留め金具７０を厚肉としたり、あるいは、フィルム留め金具８０に発熱体８２を内蔵させたものとすることができる。【選択図】図７
2019132047.tif 000002
【特許請求の範囲】
【請求項１】
屋根フィルムがフィルム留め金具により留められている連棟温室の融雪屋根構造において、
屋根最上部と、屋根妻面端部と、滑り方向と平行な屋根垂木部分に伝熱性能が良い伝熱部材を配設したことを特徴とする連棟温室の融雪屋根構造。
【請求項２】
前記伝熱部材が、フィルム留め金具を厚肉としたものであることを特徴とする請求項１に記載の連棟温室の融雪屋根構造。
【請求項３】
前記伝熱部材が、フィルム留め金具に発熱体を内蔵させたものであることを特徴とする請求項１又は２に記載の連棟温室の融雪屋根構造。
【発明の詳細な説明】
【技術分野】
【０００１】
本発明は、連棟温室の融雪屋根構造に係り、特に、積雪地帯に用いるのに好適な、屋根を滑り落ちる雪塊の形状や量を均一化して、融雪性能を安定化させ、融雪エネルギーの削減を図ることが可能な連棟温室の融雪屋根構造に関する。
【背景技術】
【０００２】
従来より、温室として種々のものが提案されているが、中でも、建設費の低減を図ることができること、及び、温室を構築する施設面積を効率的に利用できることなどから、連棟型の温室（連棟温室と称する）が良く利用されている。
【０００３】
この連棟温室は、図１に例示する如く、例えば切妻式の屋根に組立てられる単位温室１を棟方向に平行に並設させ、且つ、隣接する側壁の支柱２を隣接する単位温室１同士で共有させ、更に隣接する単位温室１の左右に傾斜する屋根３の軒端を前記支柱２の上端部に支持された谷樋４で連結した形に構築されたものである。
【０００４】
ところで、雪の多い積雪地帯では、温室の屋根に雪が積もり屋根の採光面積が激減し、温室の特徴である採光性を充分に生かせない。そこで、屋根を融雪する方法として、
（１）例えば特許文献１に記載されるような散水方法、
（２）例えば特許文献２に記載されるような屋根面全体の加熱方法、
（３）例えば特許文献３に記載されるような連棟樋部へ温水管などの加熱源を配置する方法、
などが提案されている。
【先行技術文献】
【特許文献】
【０００５】
【特許文献１】特開２０００−３２０１８６号公報
【特許文献２】特開２０００−１５７０７１号公報
【特許文献３】特開平９−１３７４２号公報
【発明の概要】
【発明が解決しようとする課題】
【０００６】
しかしながら、（１）の散水は、北海道のような降雪時の気温が氷点下となる場合には凍結して使用できない。
【０００７】
又、（２）のように屋根面全体を加熱する方法は、エネルギー消費が大きい。
【０００８】
又、（３）のように樋部へ加熱源を配置する方法は、屋根を滑り落ちる雪の量により融雪性能が変化し、適度な大きさで雪が屋根を滑り落ちてくれないと、桶部に雪が流れ込まず、十分に融雪性能を発揮できない場合がある等の問題点を有していた。
【０００９】
本発明は前記従来の問題点を解決するべくなされたもので、屋根を滑り落ちる雪の量を安定化させることによって、融雪性能を効果的に発揮可能な温室屋根を提供することを課題とする。
【課題を解決するための手段】
【００１０】
本発明は、天窓部分においては、雪塊が過大とならず、適切な形状や量で屋根を滑り落ちることに着目してなされたものである。
【００１１】
まず、図２を参照して、雪が屋根を滑るメカニズムについて説明する。
【００１２】
図２（Ａ）に示すように、温室１０の屋根１２に降る雪１４は、屋根内側面からの入熱で一部溶けながら積もっていく。降り積もった雪１４は、図２の（Ｂ）に示すように、一定の厚みに達すると重力で屋根面を滑り落ちるが、その時、雪１４の付着力が大きいと滑り落ちるまでの摩擦が大きくなったり、滑り落ちる雪塊の形状が不揃いになる。
【００１３】
特に、図３（天窓の構造と垂木形状を示す断面図）、図４（屋根端部の構造を示す断面図）及び図５（天窓の厚みを示す断面図）に示すような天窓３２の部分では、天窓３２の大きさで雪が綺麗に分断されて適切な雪が滑り落ちていくが、一方、天窓３２以外の部分では、滑り落ちる雪の形状が不揃いになる。ここで天窓３２の部分で雪の大きさが制限されるのは、天窓３２の枠の厚みｔ1が例えば３５ｍｍと厚く、その伝熱性能が良いため、ここで雪が分断されるものと考えられる。
【００１４】
図において、２４は屋根頂上部を支える構造部材、２６は屋根頂上部以外を支える構造部材、２８は棟木、３０は垂木、３４は、垂木３０や天窓３２に貼られた屋根フィルムである。
【００１５】
従来の屋根においては、屋根フィルム３４が図６に示すような、例えば高さｔ2が６．７ｍｍ程度のアルミニウム製のフィルム留め金具４０によって、例えば受け金具４２、Ｌ字状留め金具４４及びステー４６を介して垂木３０に留められている。図において、５０、５２、５４はボルトである。
【００１６】
これに対して天窓３２の部分では、図３、図５に示したように、その枠が厚みｔ1＝３５ｍｍ程度と厚いため、高い伝熱性能を有しており、積もった雪の層に滑り落ちる方向と平行に雪粒の結合力が弱い部分が融雪により形成され、天窓枠間の雪の層が滑らかに滑り落ちていくと考えられる。
【００１７】
本発明は、このような点に着目してなされたもので、屋根フィルムがフィルム留め金具により留められている連棟温室の融雪屋根構造において、屋根最上部と、屋根妻面端部と、滑り方向と平行な屋根垂木部分に伝熱性能が良い伝熱部材を配設したことを特徴とする連棟温室の融雪屋根構造により、前記課題を解決するものである。
【００１８】
ここで、前記伝熱部材を、フィルム留め金具を厚肉としたものとすることができる。
【００１９】
又、前記伝熱部材を、フィルム留め金具に発熱体を内蔵させたものとすることができる。
【発明の効果】
【００２０】
本発明によれば、伝熱性能が良い伝熱部材により、屋根を滑り落ちる雪塊の形状や量を均一化して、融雪性能を安定させ、融雪エネルギーの削減を図ることができる。
【図面の簡単な説明】
【００２１】
【図１】連棟型温室の構成例を示す断面図
【図２】雪が屋根を滑り落ちるメカニズムを示す図
【図３】天窓部分の屋根の構造及び垂木形状を示す断面図
【図４】同じく屋根端部の構造を示す断面図
【図５】同じく天窓の厚みを示す断面図
【図６】従来のフィルム留め金具の形状の例を示す図
【図７】本発明の実施形態における伝熱性能が良い伝熱部材の配設位置を示す斜視図
【図８】本発明に係るフィルム留め金具の第１実施形態を示す断面図
【図９】同じく第２実施形態を示す断面図
【発明を実施するための形態】
【００２２】
以下、図面を参照して、本発明の実施の形態について詳細に説明する。なお、本発明は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００２３】
本発明は、屋根フィルム３４がフィルム留め金具４０により留められている連棟温室１０の融雪屋根構造において、図７に示す如く、屋根最上部と、屋根妻面端部と、滑り方向と平行な屋根垂木部分に、例えばアルミニウム又はアルミニウム合金製の伝熱性能が良い伝熱部材６０を配設したものである。
【００２４】
本発明の第１実施形態は、伝熱部材６０として、図８に示す如く、通常数ｍｍである厚みｔ3を、例えば３０ｍｍ以上とした熱容量増加型のフィルム留め金具７０を用いて屋根フィルム３４をＬ字状金具４４を介して垂木３０（図示省略）に留めるようにしたものである。
【００２５】
他の点については図６と同様であるので、同じ符号を付して説明を省略する。
【００２６】
この第１実施形態によれば、フィルム留め金具７０が、天窓３２の枠と同程度の伝熱性能を持つことになるので、天窓部分と同様にフィルム留め金具７０の間の雪も適切に分断され、屋根を滑り落ちていく。従って、樋部等に適切に融雪されて流れて、滑り落ちる雪の形状が均一化される。従って、樋部の融雪性能を安定させ、融雪エネルギーの削減を図ることができる。
【００２７】
本実施形態においては、別体の熱源が不要であるので経済的である。
【００２８】
次に、本発明の第２実施形態を図９を参照して説明する。
【００２９】
この第２実施形態は、厚さｔ4が、従来のフィルム留め金具４０に近い、例えば１０ｍｍ以上のフィルム留め金具８０の内側にヒータ等の発熱体８２を内蔵したヒータ内蔵型としたものである。
【００３０】
他の点については図６と同様であるので、同じ符号を付して説明を省略する。
【００３１】
本実施形態によれば、フィルム留め金具８０の伝熱性能に頼ることなく、ヒータ８２を外部から加熱することによって、確実に滑り落ちる雪の形状を均一化することができる。
【００３２】
前記実施形態においては、いずれも、フィルム留め金具を伝熱部材としていたので、構成が簡略である。なお、伝熱部材の構成は、これに限定されず、フィルム留め金具とは別の伝熱部材を設けることもできる。
【符号の説明】
【００３３】
１０…温室
１２…屋根
１４…雪
２４、２６…構造部材
２８…棟木
３０…垂木
３２…天窓
３４…屋根フィルム
４０、７０、８０…フィルム留め金具
６０…伝熱部材
８２…ヒータ（発熱体）
【図１】
2019132047.tif 000003
【図２】
2019132047.tif 000004
【図３】
2019132047.tif 000005
【図４】
2019132047.tif 000006
【図５】
2019132047.tif 000007
【図６】
2019132047.tif 000008
【図７】
2019132047.tif 000009
【図８】
2019132047.tif 000010
【図９】
2019132047.tif 000011